(57)【要約】  フィルムをバッキング・テープから基体上へ転写する手持ち型装置用の摩擦クラッチは、第２主要部材（２）の円形中央開口部（７）内に同軸に突出する円筒要素（５）を有する第１主要部材（１）を含む。第１および第２主要部材（１，２）は、相対的な回転運動を行うことができるように支持される。第２主要部材（２）は、弾性リング（３）をその周囲に案内して弾性リング（３）を保持するとともに、これにプレテンションを付与する複数の同軸テンション付与要素（４）を含む。テンション付与要素（４）は、リング（３）が、中央開口部（７）内で少なくとも１つの割線形脚部の形状で露出するように幾何学的に配置される。リング（３）の割線形脚部（６）は、リングと円筒要素（５）の円周壁との間で摩擦力を発生させるため、第１主要部材（１）の円筒要素（４）が第２主要部材（２）の中央開口部（７）内に挿入される際、半径方向外側に付勢される。【選択図】  図１
2008544177.tif 000002
【特許請求の範囲】
【請求項１】
フィルムをバッキング・テープから基体上へ転写する手持ち型装置用の摩擦クラッチであって、
前記クラッチ（８）は、第２主要部材（２）の円形中央開口部（７）内に同軸に突出する円筒要素（５）を有する第１主要部材（１）を含み、
前記第１および第２主要部材（１，２）は、相対的な回転運動を行うことができるように支持され、
前記第２主要部材（２）は、弾性リング（３）をその周囲に案内して弾性リング（３）を保持するとともに、これにプレテンションを付与する複数の同軸テンション付与要素（４）を含み、
前記テンション付与要素（４）は、前記リング（３）が、前記中央開口部（７）内で少なくとも１つの割線形脚部の形状で露出するように幾何学的に配置され、
前記リング（３）の割線形脚部（６）は、前記リングと前記円筒要素（５）の円周壁との間で摩擦力を発生させるため、前記第１主要部材（１）の円筒要素（４）が前記第２主要部材（２）の中央開口部（７）内に挿入される際、半径方向外側に付勢されることを特徴とする摩擦クラッチ。
【請求項２】
前記リングはＯリング（３）であることを特徴とする請求項１に記載の摩擦クラッチ。
【請求項３】
前記リング（３）は、少なくとも２つの割線形脚部（６）で前記中央開口部（７）に露出していることを特徴とする請求項１または請求項２に記載の摩擦クラッチ。
【請求項４】
前記リング（３）は、実質的に三角形の経路に沿って案内されることを特徴とする請求項１ないし請求項３のいずれか１項に記載の摩擦クラッチ。
【請求項５】
前記円筒要素を有する前記第１主要部材（１）は、修正テープ１回供給分を巻回保持するように設計された供給リールの一部であることを特徴とする請求項１ないし請求項４のいずれか１項に記載の摩擦クラッチ。
【請求項６】
前記リング（３）は、前記複数のテンション付与要素（４）の間に、複数の直線状割線脚部（６）を有することを特徴とする請求項１ないし請求項５のいずれか１項に記載の摩擦クラッチ。
【請求項７】
請求項１ないし請求項６のいずれか１項に記載の摩擦クラッチ（８）を含む修正テープディスペンサー。
【発明の詳細な説明】
【技術分野】
【０００１】
本発明は、手持ち型修正テープディスペンサー装置における２つの部材間でトルクが制限された力を伝達するための摩擦クラッチに関するものである。
【背景技術】
【０００２】
欧州公開特許公報ＥＰ１４２２１４６Ａ１に開示された、添付の図２に示すような摩擦クラッチが公知である。この公知のクラッチは、接着性、被膜性又は着色した材料などからなるフィルムをバッキング・テープから基体上へ転写するための手持ち型装置に使用することが可能であり、一方のリールが他方のリールの円形リング表面で区画されたフリースペースを有して、相互に同軸に回転可能に装着された供給リールと巻き取りリールとを含む。前記フリースペース内にはばね要素が配設され、円形リング表面を弾性的に押圧する。
【０００３】
このような公知の摩擦クラッチは、バッキング・テープからフィルムを基体上へ転写するための手持ち型装置において、巻き取りリールの駆動を調整するものである。巻き取りリールは、巻き取りリールへ供給されたバッキング・テープ部分に常にわずかな張力が付与されるように強制的に駆動される。その際、摩擦クラッチは、張力が所定の値を超過しないようにして、バッキング・テープが破断しないように作動する。
【０００４】
ドイツ公開特許公報ＤＥ４２１７２９５Ａ１には、第１摩擦クラッチの一例が記載されている。本発明によるクラッチも属するこの種のクラッチによると、摩擦クラッチは、供給リールと、回転駆動接続によりディスペンサー装置の供給リールと接続される回転部材との間に配設される。この従来技術による摩擦クラッチは、開放型ばねリングの形状のスリーブ状ばね要素を含む。このスリーブ状ばね要素は同軸に配置された２つのスリーブ状ベアリング部材間のリング状スロットに配設されて、内面が内側のベアリング部材の外面上に、外側のベアリング部材がスリーブ状ばねの外面上にあるベアリング部材を構成している。半径方向に曲がることにより、ばねリングは外側のベアリング部材の円筒状の内面を弾性的に押圧し、その結果摩擦クラッチが構成される。
【発明の開示】
【発明が解決しようとする課題】
【０００５】
本発明は、欧州公開特許公報ＥＰ１４２２１４６Ａ１から公知の摩擦クラッチの改良を目的とする。この公知の摩擦クラッチは、一つの構成要素である棒状ばね（図３の符号８）によって発生する摩擦力が、棒状ばねを保持する要素の寸法および公差に大きく依存するという問題を有する。従って、プラスチック部品の製造工程（射出成形）における公差に起因して、常に確実で一定の摩擦力が保証されるわけではない。
【０００６】
本発明によると、欧州公開特許公報ＥＰ１４２２１４６Ａ１によるこの棒状ばねの代わりに、弾性リング要素を用いる。この弾性リング要素は、摩擦クラッチの協動部材のスリーブ（円筒要素）の周囲に案内され、形成された露出部として、スリーブの摩擦面と接触する。
【０００７】
本発明による摩擦クラッチは、欧州公開特許公報ＥＰ１４２２１４６Ａ１から公知の摩擦クラッチと全く同一の構成に使用することができるので、修正テープディスペンサーなどを構成するのに必要な付加的な要素については、詳細な説明を省略する。従って、摩擦クラッチ以外のすべての付加的な要素に関しては、欧州公開特許公報ＥＰ１４２２１４６Ａ１を参照されたい。当該欧州公開特許公報の記載内容は、参照として本願明細書の記載内容に含まれるものとする。
【課題を解決するための手段】
【０００８】
本発明の目的、すなわちより確実な摩擦力を得ることは、本願の独立請求項に記載された特徴部分によって達成される。従属請求項は、本発明の中心的な概念をさらに発展させたものである。
【０００９】
従って、本発明では、フィルムをバッキング・テープから基体上へ転写する手持ち型装置用の摩擦クラッチを提供する。このクラッチは、第２主要部材の円形中央開口部内に同軸に突出する円筒（スリーブ）要素を有する第１主要部材を含む。第１および第２主要部材は、相対的な回転運動を行うことができるように支持される。修正テープディスペンサーの供給リールと巻き取りリールとの間で摩擦係合を行うためにクラッチが設けられる場合、第１主要部材と第２主要部材の両方が、（異なる角速度で）回転することもある。巻き取りリールと供給リールの回転中心軸が同軸ではなく、（例えば、欧州特許公報ＥＰ１１８６５６２Ｂ１記載された例のように）横方向に変位している場合、第１主要部材と第２主要部材の一方を修正テープディスペンサーのケーシングに回転を許容するように固定しても良い。
【００１０】
いずれの場合でも、第１主要部材と第２主要部材は、両主要部材の間に設けられる摩擦クラッチの摩擦に対して常に相対回転運動を行う。
【００１１】
第２主要部材は複数の同軸テンション付与要素を含み、これらの同軸テンション付与要素は、それらの周囲に案内され、プレテンションを付与する弾性リングを保持する。
【００１２】
テンション付与要素は、リングが、中央開口部内で少なくとも１つの割線形脚部（secant-shaped leg）の形状で露出するように幾何学的に配置される。リングの割線形脚部は、リングと円筒要素の円周壁との間で摩擦力を発生させるため、第１主要部材の円筒要素（スリーブ）が第２主要部材の中央開口部内に挿入される際、半径方向外側に付勢される。
【００１３】
従って、円筒要素（スリーブ）が中央開口部内に挿入される際、リングは円筒要素（スリーブ）の外面（円周壁）を完全に包み込む。
【００１４】
前記リングはＯリングでも良い。
【００１５】
前記リングは、２つまたはそれ以上の割線形脚部で前記中央開口部に露出しても良い。
【００１６】
前記リングは、前記テンション付与要素によって形成される実質的に三角形の経路に沿って案内されても良い。このような実施例によると、前記リングは３つの割線形脚部を有することになる。
【００１７】
前記円筒要素（スリーブ）を有する前記第１主要部材は、修正テープ１回供給分を巻回保持するように設計された供給リールの一部でも良い。
【００１８】
また本発明は、上述した摩擦クラッチを含む修正テープディスペンサーにも関する。
【００１９】
本発明の他の利点、目的および特徴は、詳細を後述する発明の実施形態を参照することで、当業者に明らかになる。
【発明を実施するための最良の形態】
【００２０】
図１には、本発明による摩擦クラッチ８が示されている。図１ａに示すように、摩擦クラッチ８の主要構成要素は、第１主要部材１および第２主要部材２と、これら第１主要部材１および第２主要部材２の間に挟まれるＯリング３である。注意すべき点として、Ｏリング３は第１主要部材１および第２主要部材２の間に挟まれているが、Ｏリング３を軸方向につまんでも摩擦力は発生せず、半径方向力によってＯリング３と第１主要部材１の円筒（スリーブ）部材５との間で摩擦力が発生する。
【００２１】
第１および第２主要部材１，２の一方は、例えば修正テープの移動、すなわち使用者が修正テープディスペンサーを基体上で移動させることによって生じる運動によって駆動される。駆動される第１または第２主要部材は、摩擦クラッチ８の摩擦力に抗して回転運動を行う。
【００２２】
図１ｂに示すように、第２主要部材２には、相互に距離を置いて第２主要部材２の主要部から下方に突出する（図１ａ参照）リング案内／テンション付与要素４が設けられている。
【００２３】
第２主要部材２には中央開口部７が設けられており、この中央開口部７の周囲にリングテンション付与／案内要素４が等距離で配設されている。
【００２４】
図１ｂの実施例では、リングテンション付与／案内要素４の周囲に案内されたＯリング３に僅かにテンションが加えられ原則的に三角形の輪郭を有するように、３つのリングテンション付与／案内要素４が配設されている。
【００２５】
従って、この実施形態では、各テンション付与要素４の間で、Ｏリング３の３つの割線(secants)６が形成される。
【００２６】
各割線の中間部において、テンションリング３は露出し、第２主要部材２の中央開口部７の輪郭と僅かに重なる。図１ｂは、第１主要部材１の円筒部（スリーブ）５が中央開口部７内に挿入される前におけるＯリング３の状態を示すものである。
【００２７】
第１主要部材１のスリーブ（中央部）５の外径は、中央開口部７の内径（内部自由径）よりもほんの僅かに小さい寸法に形成される。
【００２８】
従って、スリーブ５を有する第１主要部材１が中央開口部７内に挿入されると、スリーブ５の円周壁が、Ｏリング３の割線形脚部６を半径方向外側に押し出す。スリーブ５が完全に挿入される（その結果（図１ａに示すように）第２主要部材２の上面を超えてさらに突出する）と、Ｏリング３はスリーブ５の円周壁に対して付勢され、幾つかの部分的に円形の領域で円周壁に対してもたれかかる。
【００２９】
従って、摩擦力は、Ｏリング３を第１主要部材１のスリーブ５の円周壁に対して半径方向内側に押圧させる付勢力のみならず、Ｏリング３およびスリーブ５の外周壁の摩擦係数により決定される。
【００３０】
いずれの場合でも、Ｏリング３は、閉ループの状態でこのスリーブ５の外周壁を完全に包囲する。
【００３１】
摩擦力は、例えばＯリングの弾性とテンション付与に主に依存することになるので、プラスチック部品（第１および第２主要部材１，２）の製造工程による公差は容易に補償される。
【００３２】
さらにＯリングは、大量生産部品とすることで、さほどコストがかからず且つ一定の特性を有するように生産できるという利点を有する。
【００３３】
図２において、第１主要部材１は、第２主要部材２の中央開口部内に突出するスリーブ５と、ディスク形部材１０と、例えば修正テープが巻き付けられるテープ保持リール９とを有するものとして示されている。
【図面の簡単な説明】
【００３４】
【図１】（ａ）および（ｂ）は、本発明による摩擦クラッチの側面図と上面図を示す。
【図２】本発明による摩擦クラッチの主要部材の斜視図を示す。
【図３】欧州公開特許公報ＥＰ１４２２１４６Ａ１に開示された公知のクラッチを示す。
【符号の説明】
【００３５】
１    第１主要部材
２    第２主要部材
３    Ｏリング
４    テンション付与（リング案内）要素
５    円筒要素
６    割線形直線状脚部
７    中央開口部
８    摩擦クラッチ
９    テープ保持リール
１０  ディスク
【図１】
2008544177.tif 000003
【図２】
2008544177.tif 000004
【図３】
2008544177.tif 000005
【国際調査報告】
2008544177.tif 000006
2008544177.tif 000007